(57)【要約】【課題】建材マット等の建築材料等として、調湿性能、断熱性能及び施工性に優れ住環境改善用物品を提供する。【解決手段】建材マットＭは、柔軟性と通気性を有する不織布で形成された炭収容袋１に、籾殻炭２を所要量収容することにより構成されている。建材マットＭの炭収容袋１は、外形が長方形状になるよう形成され、収容空間部１０が互いに区画されて一方向へ五箇所に並設されている。各収容空間部１０には、籾殻炭２が収容されている。籾殻炭２の収容量は、各収容空間部１０の容量の７〜８割程度であり、内部に空隙部が形成されるようになっている。【選択図】        図１
2004346632.tif 000002
【特許請求の範囲】
【請求項１】
籾殻の形状を実質的に残した籾殻炭、または籾殻の形状を実質的に残した籾殻炭を含む炭粒または炭粉を、通気性を有する材料で形成された収容体に収容したことを特徴とする、
住環境改善用物品。
【請求項２】
籾殻の形状を実質的に残した籾殻炭、または籾殻の形状を実質的に残した籾殻炭を含む炭粒または炭粉を、通気性と柔軟性を有するシート材料で形成された収容体に収容したことを特徴とする、
住環境改善用物品。
【請求項３】
通気性を有する増量材を、籾殻の形状を実質的に残した籾殻炭、または籾殻の形状を実質的に残した籾殻炭を含む炭粒または炭粉と共に収容体に収容したことを特徴とする、
請求項１または２記載の住環境改善用物品。
【請求項４】
請求項１、２または３記載の住環境改善用物品を建築物の壁内部または床下部または天井裏部に、各部において空気の流通が可能な状態で取り付けたことを特徴とする、
住環境改善用構造。
【発明の詳細な説明】
【０００１】
【発明の属する技術分野】
本発明は住環境改善用物品及び住環境改善用構造に関するものである。更に詳しくは、主に住環境に関係する調湿性能や断熱性能に優れており、建築材料としては、更に取り扱い性や施工性に優れ、マットやクッション等の日用品としては、更に取り扱い性や使用感に優れたものに関する。
【０００２】
【従来技術】
近年、シックハウス症候群等の住環境に関する問題が社会問題として大きく取り上げられるようになり、住環境への関心はますます高まっている。
住環境改善のための方法としては、居住する住宅の諸問題を改善することと、生活に使用する日用品等の諸問題を改善することが考えられる。
【０００３】
住宅に関しては、上記シックハウス症候群等の他、住宅の耐久性能等にも大きな影響を及ぼす結露が大きな問題となっており、様々な対策が施されている。住宅の壁面内部、天井裏、床下等に湿度を調整するための炭を入れることは、そのような対策のひとつである。なお、壁面内部、天井裏、床下等に炭を入れることにより、住宅の断熱性能を向上させることができ、脱臭効果も期待できる。
【０００４】
また、生活に使用するマットやクッション等の日用品に関しては、湿度過多による黴の発生が問題であり、この黴の胞子等が体内に入ることにより、人体に健康上の様々な問題を引き起こすことになる。マットやクッション等に湿度を調整するための炭を入れることは、その対策のひとつである。
このように、住環境に関係する湿度を調整するために炭を使用することは、炭がその他にもマイナスイオンの発生や電磁波の遮断、緩和等の効果が期待できること等もあって、一般的に行われている（特許文献１参照）。
【０００５】
【特許文献１】
特開平７−３１５３２号公報
【０００６】
上記公報記載の住環境改善用物品に使用されている炭は、その多くが木炭や竹炭を粉砕して粒状または粉状にしたものである。
【０００７】
【発明が解決しようとする課題】
しかしながら、上記した公報記載の従来の住環境改善用物品には、次のような課題があった。
すなわち、木炭や竹炭を粉砕して粒状または粉状にした炭粒は、木炭や竹炭がもともと中実体であるため、加工して粒状としたときの比重は、炭としては比較的重い。このため、例えば収容体に入れて収容体を壁内部等に固定して施工したときに、炭の重みで収容体が垂れ下がり、十分な調湿性能を発揮できなくなったり、収容体が破れて脱落したり、内部の炭が漏れてしまう等の不都合が生じやすかった。
更に、収容体に収容したときに炭粒が密に詰まるので単位重さ当たりの嵩が小さく、内部に保有できる空気の量はそれほど多くない。しかも、内部に空気が流通しにくいために、十分な調湿効果が得にくい問題もあった。
【０００８】
また、粉砕による加工では炭粒の大きさは揃いにくく、例えばクッション等の日用品として使用した場合、炭粒を収容している収容体表面が皮膚に触れたときに、表面の凹凸に違和感を感じやすく、使用感に劣る。
更に、木炭や竹炭は、その材料となる植物を伐採することになるので、それらを製造するに際して、少なからず環境破壊を伴うことになり、環境保全の観点からは好ましいとはいえない。
【０００９】
（本発明の目的）
本発明の目的は、粉砕等の加工をしなくても粒の大きさがほぼ揃っており、また同じ重さでは木炭や竹炭の粉粒体より嵩高で、空気を保有できる量が多く、空気の流通もスムーズにできる籾殻炭を用いることにより、建材マット等の建築材料としては調湿性能、断熱性能及び施工性により優れ、マットレスやクッション等の日用品としては、調湿性能、取り扱い性及び使用感により優れた住環境改善用物品を提供することである。
【００１０】
本発明の他の目的は、住環境改善用構造を構成する、住宅等、建築物の柱等に住環境改善用物品をステープル等で固定した場合に、不織布等、一般に強度に劣る通気性を有する材料でつくられた収容体の固定部分にかかる炭の重みによる引っ張り力等の負担を軽減できるようにし、これにより、収容体が破れて脱落したり、内部の炭が漏れてしまう等の不都合が生じないようにした住環境改善用構造を提供することである。
【００１１】
【課題を解決するための手段】
上記目的を達成するために講じた本発明の手段は次のとおりである。
【００１２】
【課題を解決するための手段】
上記目的を達成するために講じた本発明の手段は次のとおりである。
第１の発明にあっては、
籾殻の形状を実質的に残した籾殻炭、または籾殻の形状を実質的に残した籾殻炭を含む炭粒または炭粉を、通気性を有する材料で形成された収容体に収容したことを特徴とする、
住環境改善用物品である。
【００１３】
第２の発明にあっては、
籾殻の形状を実質的に残した籾殻炭、または籾殻の形状を実質的に残した籾殻炭を含む炭粒または炭粉を、通気性と柔軟性を有するシート材料で形成された収容体に収容したことを特徴とする、
住環境改善用物品である。
【００１４】
第３の発明にあっては、
通気性を有する増量材を、籾殻の形状を実質的に残した籾殻炭、または籾殻の形状を実質的に残した籾殻炭を含む炭粒または炭粉と共に収容体に収容したことを特徴とする、
第１または第２の発明にかかる住環境改善用物品である。
【００１５】
第４の発明にあっては、
第１、第２または第３の発明にかかる住環境改善用物品を建築物の壁内部または床下部または天井裏部に、各部において空気の流通が可能な状態で取り付けたことを特徴とする、
住環境改善用構造である。
【００１６】
本明細書にいう「住環境改善用物品」としては、例えば住宅の湿度調整のために壁部、天井裏、床下等に収容または配設する建材マット等の建築材料、または住宅内で日常的に使用する就寝用マットレス、座布団、枕、クッション等の日用品等があげられるが、住環境（居住環境）に関係するものであれば、これらに限定されるものではない。
【００１７】
籾殻炭は、固く強靱な籾殻を炭化させたもので、炭化後、その大半は中空形状である籾殻の形状をそのまま保っている。また、中空形状を保つことができずに割れてしまった場合でも、その欠片は湾曲した面を持つ形状となっている。
【００１８】
本明細書にいう「収容体」としては、通気性と柔軟性を持つシート材料で形成された収容袋の他、ある形状を保つことができる（保形性を有する）構造のもの、例えば枠体に和紙等を張った中空体、通気性を有する板状体で形成された箱等であるが、これらに限定はされない。また、通気性と柔軟性を持つシート材料としては、例えば不織布、織布、編布、和紙等の紙等があげられるが、特にこれらに限定するものではない。
【００１９】
本明細書にいう「建築物」としては、例えば住宅の他、店舗施設、工場施設、倉庫施設等があげられるが、これらに限定はされない。また、建築物の造りとしては、木造の他、コンクリート造り、鉄骨造り、あるいはそれらを複合した造り等があげられるが、これらに限定はされない。
【００２０】
（作用）
本発明にかかる住環境改善用物品は、次のような作用を有する。
籾殻の形状を実質的に残した籾殻炭、または籾殻の形状を実質的に残した籾殻炭を含む炭粒または炭粉は、例えば木炭や竹炭等を粉砕して粒状としたり粉状とした炭と比較して、同じ重さでは嵩高である。
【００２１】
すなわち、使用される籾殻炭は、その大半が材料である籾殻の中空形状そのままの形状を残しており、個々の粒の内部に空間部があり、外面側が湾曲した面となっている。更に、欠片となっているものも湾曲面を有している。これらを混合して収容することにより、個々の粒が空間部を有することに加え、粒や欠片同士が接触する境界部の周りには無数の空隙部が形成されることになり、その分だけ嵩高となる。
【００２２】
また、籾殻炭の粒の内外部には空間部や空隙部が無数にあるので、木炭や竹炭等を粒状としたり粉状としたものと比較して、同じ重さ当たりでは内部に含むことができる空気の量が比較にならないほど多く、その空気の流通も比較的スムーズに行われる。従って、空気中の湿気（水分）を吸収したり排出する能力、すなわち調湿性能が極めて優れていると共に、断熱性能にも優れている。
【００２３】
このような性質を持つ籾殻炭を収容体や収容袋に収容して用いることにより、例えば住宅の壁部、天井裏、床下等に収容または配設する建材マット等の建築材料として使用する場合は、収容または配設される場所で炭粒が収容体内部で全く動かない状況下にあっても、上記理由から調湿機能を十分に発揮することができる。また、調湿性能に優れている分だけ、比較的少ない量（重量）でも十分な調湿機能を発揮できるので、炭を無駄なく効率的に使用できる。
【００２４】
更に、籾殻炭が嵩高であることにより、柔軟性のある収容体に収容した場合でも、比較的少ない量（重量）で建材マット等の建築材料にしっかりとした形状を持たせることができる。従って、建材マット等の建築材料の施工性や取り扱い性に優れている。
【００２５】
籾殻炭を収容体や収容袋に収容して用いることにより、就寝用マットレス、座布団、枕、クッション等の日用品等として使用する場合は、籾殻炭の粒が比較的揃っていることにより、籾殻炭を収容している収容体表面が皮膚に触れたときに、表面の凹凸に違和感を感じにくく、使用感に優れている。
【００２６】
また、籾殻炭の単位容積あたりの重さは、木炭や竹炭を粉砕した炭と比較して軽いので、籾殻炭の使用量が多い場合でも、取り扱い性に優れている。
更には、籾殻炭は材料の籾殻がもともと粒が揃っており、炭化後も粉砕する必要がないので、粉砕する手間がかからない。なお、従来は、そのほとんどが燃やして処分され、処分に困っていた籾殻を有効に利用できる利点もある。
【００２７】
本発明にかかる住環境改善用構造によれば、住環境改善用物品を構成する収容体に収容した籾殻炭が軽量であるため、住環境改善用構造を構成する、住宅等、建築物の柱等にステープル等で固定した場合に、不織布等、一般に強度に劣る通気性を有する材料でつくられた収容体の固定部分にかかる炭の重みによる引っ張り力等による負担を軽減できる。従って、収容体が破れて脱落したり、内部の炭が漏れてしまう等の不都合は生じない。
【００２８】
【発明の実施の形態】
本発明を図面に示した実施の形態に基づき更に詳細に説明する。
図１は本発明にかかる建材マットの一実施の形態を示す炭収容袋の一部を切り欠いた斜視図である。
【００２９】
符号Ｍは、住環境改善用物品である建材マットである。建材マットＭは、柔軟性と通気性を有する不織布で形成された炭収容袋１に、籾殻炭２を所要量収容することにより構成されている。
建材マットＭの炭収容袋１は、外形が長方形状になるよう形成され、収容空間部１０が互いに区画されて一方向へ五箇所に並設されている。各収容空間部１０には、籾殻炭２が収容されている。籾殻炭２の収容量は、各収容空間部１０の容量の７〜８割程度であり、内部に空隙部が形成されるようになっている。
【００３０】
炭収容袋１のサイズ、形状及び籾殻炭２の収容量は、使用される箇所に対応して適宜設定可能であり、特に限定されるものではない。
本実施の形態においては、不織布として、エルベス７０３（ユニチカ（株）：登録商標）を使用したが、他の不織布を採用することもできる。
【００３１】
なお、籾殻炭に摩擦等により微細な粉が生じた時に、炭収容袋２から外部へ漏れにくくするために、炭収容袋１を構成する不織布の内面側に、例えば多数の通気孔を形成した合成樹脂フィルムをラミネートすることもできる。微細な粉が炭収容袋１から漏れないようにする手段は、この構造に限定されるものではなく、他の公知手段を採用することもできる。
【００３２】
また、炭収容袋１に収容されるのは、本実施の形態のように全部が籾殻炭２であってもよいが、木炭や竹炭等、他種の炭の粒または粉を所要割合で混合することもできる。更には、増量材として、例えば蕎麦殻、木材のチップ等を適量合わせて収容することもできる。
【００３３】
（作  用）
図２は建材マットを住宅の壁内部に施工した状態を示す説明図で、（ａ）は壁板の一部を切り欠いた正面視説明図、（ｂ）は要部断面図、
図３は建材マットを受託の床下部に施工した状態を示す説明図で、（ａ）は床板の一部を切り欠いた平面視説明図、（ｂ）は要部断面図である。
【００３４】
（壁部に施工する場合）
図２を参照する。
住環境改善用構造である住宅の壁部構造８は、所要間隔で立てられた間柱８０と、各間柱８０に渡るように表裏側に設けられた外壁板８１と内壁板８２を有している。建材マットＭは、各間柱８０、外壁板８１、内壁板８２により形成される空間部（符号省略）に設けられている。
【００３５】
建材マットＭは、各間柱８０の内面に長手方向の縁部をステープル１００で固定し、各間柱８０間に渡すように、かつ上下方向へ連続するようにして取り付けてある。また、建材マットＭの表裏側には、通気のための空間部８３、８４を設けるようにしている。なお、空間部８３、８４は必ずしも両方共設ける必要はなく、建材マットＭを外壁板８１または内壁板８２に接するよう取り付けて、一方側だけに空間部を設けてもよい。
【００３６】
（作用）
建材マットＭは、表裏両側で流通する空気との水分のやりとりができるので、より効果的に調湿性能を発揮できる。
また、建材マットＭを構成する収容体１に収容した籾殻炭２が軽量であるため、一般に強度に劣る不織布でつくられている収容体１の固定部分にかかる重量による負担を軽減できる。
従って、炭の重みで収容体１の中央部が大きく垂れ下がって調湿性能が低下したり、収容体１が破れて建材マットＭが脱落したり、内部の炭が漏れてしまうことにより壁や床下を汚してしまう等の不都合は生じない。
【００３７】
（床部に施工する場合）
図３を参照する。
住環境改善用構造である住宅の床部構造９は、大引き９１の上に所要間隔で設けられた根太９０と、各根太９０の上に渡るように設けられた床板９２を有している。建材マットＭは、各根太９０、大引き９１、床板９２により形成される空間部（符号省略）に設けられている。
【００３８】
建材マットＭは、各根太９０の内面に長手方向の縁部をステープル１００で固定し、各根太９０間に渡すようにして水平方向に連続して取り付けてある。また、大引き９１の上面には、建材マットＭの中央部を支える支持部材９５が設けてある。これにより、建材マットＭの表裏側に、通気のための空間部９３、９４を設けている。
なお、空間部９３、９４は必ずしも両方共設ける必要はなく、建材マットＭを大引き９１または床板９２に接するよう取り付けて、一方側だけに空間部を設けてもよい。
【００３９】
（作用）
建材マットＭは、上記壁部に設けた場合と同様に、表裏両側で流通する空気との水分のやりとりができるので、より効果的に調湿性能を発揮できる。
また、建材マットＭを構成する収容体１に収容した籾殻炭２が軽量であるため、一般に強度に劣る不織布でつくられている収容体１の固定部分にかかる重量による負担を、支持部材９５による支持効果とも相まって軽減できる。従って、収容体１が破れて建材マットＭが脱落したり、内部の炭が漏れてしまうことにより床下を汚してしまう等の不都合は生じない。
【００４０】
本実施の形態にかかる建材マットＭは、上記したように、住宅の壁面内部、天井裏、床下等に収容または配設して使用される。
そこで、建材マットＭに使用されている籾殻炭の調湿性能及び断熱性能を一般的な木炭や竹炭と比較するために次のような試験を行った。
【００４１】
（Ａ）調湿性能試験
図４は調湿性能試験装置の概略を示す説明図、
図５は竹炭の試験データをプロットしたグラフ、
図６は木炭の試験データをプロットしたグラフ、
図７は籾殻炭の試験データをプロットしたグラフである。
【００４２】
（試験装置）
調湿性能試験装置３は、高湿度の空気を入れる空気供給室３０、試験炭を収容したフィルター３１を有する通気路３２、フィルター３１を通した空気を入れる測定室３３、及び空気供給室３０内の空気を測定室３３へ送る移動体３４により構成されている。また、空気供給室３０と測定室３３には、それぞれ温度計ｔと湿度計ｈが備えてある。なお、試験炭の重さは１ｋｇとした。
【００４３】
（試験方法）
調湿性能試験は、上記調湿性能試験装置３を使用し、次のように行った。
（１）粒径がほぼ３ｍｍの試験炭（▲１▼竹炭、▲２▼木炭、▲３▼籾殻炭）をそれぞれ入れた三種のフィルター３１を用意し、順に試験を行った。なお、籾殻炭は炭化した粒をそのまま使用した。
（２）移動体３４を空気供給室３０側へいっぱいに寄せた状態で空気供給室３０に高湿度の空気を入れ、空気供給室３０内の温度と湿度を測定した（図４（ａ）参照）。
【００４４】
（３）移動体３４の移動行程の１／２を３０分間かけてゆっくりと移動し、空気供給室３０内の高湿度の空気をフィルター３１を通過させて測定室３３へ移動させ、直後に測定室３３内の温度と湿度を測定した（図４（ｂ）参照）。
（４）更に、そのままの状態で１０分間経過後に測定室３３内の温度と湿度（データ３）を測定した。
【００４５】
（５）再度、移動体３４の移動行程の残りの１／２を３０分間かけてゆっくりと移動し、空気供給室３０内の高湿度の空気をフィルター３１を通過させて測定室３３へ移動させ、直後に測定室３３内の温度と湿度を測定した。
（６）更に、そのままの状態で１０分間経過後に測定室３３内の温度と湿度を測定した。
【００４６】
（試験結果）
【００４７】
【表１】
2004346632.tif 000003
【００４８】
（考察）
竹炭と木炭をフィルター３１として使用した場合は、表１と図５、図６からわかるように、測定室３３の湿度は徐々に高くなり、最終的には初期値よりも木炭使用の場合では９％、竹炭使用の場合では１０％高くなった。
これに対し、籾殻炭をフィルター３１として使用した場合は、表１と図７からわかるように、測定室３３の湿度は一旦はやや高くなったが、その後は低下し、最終的には初期値よりも３％低くなった。
このように、籾殻炭使用のフィルター３１は、竹炭や木炭使用のフィルター３１より吸湿性に優れていた。なお、籾殻炭、竹炭、木炭のいずれの場合も、測定室３３内の湿度は僅かずつ変化しており、温度の変化等に影響を受けて、各炭による調湿が行われていることがわかる。
【００４９】
（Ｂ）断熱性能試験
図８は断熱性能試験装置の概略を示す説明図、
図９は竹炭と籾殻炭の試験データをプロットしたグラフである。
【００５０】
（試験装置）
断熱性能試験装置４は、気密的に区画された測定室４０、４１を備え、各測定室４０、４１の外部には３００ワットの光源４２を設けた。各測定室４０、４１の側壁のうち、光源４２が設けてある側の側壁に測定室４０では試験炭層４３（竹炭）を設け、測定室４１では試験炭層４４（籾殻炭）を設けて全面を覆った。また、測定室４０、４１には、それぞれ温度計ｔが備えてある。
なお、試験炭層４３、４４を構成する炭の重さは１ｋｇとした。
【００５１】
（試験方法）
断熱性能試験は、上記断熱性能試験装置４を使用し、次のように行った。
（１）測定室４０の試験炭層４３に、粒径ほぼ３ｍｍの竹炭を使用し、測定室４１の試験炭層４４に籾殻炭（炭化した粒をそのままのもの）を使用した。
（２）８時に測定室４０、４１の温度を測定した。測定した直後に各光源４２を点灯した。
（３）１時間後の９時に測定室４０、４１の温度を測定した。以下、各光源４２を点灯したまま、同様に測定室４０、４１の温度を１時間ごとに１８時まで、合計１１回測定した。
【００５２】
（試験結果）
【００５３】
【表２】
2004346632.tif 000004
【００５４】
（考察）
表２と図９に示すように、試験炭層として籾殻炭を使用した測定室４１は、竹炭を使用した測定室４０と比較して、温度上昇の勾配が緩やかであった。各測定時においては、１０時と１８時を除いて、測定室４１の温度が測定室４０の温度を下回った。最高温度は、各測定室４０、４１共に１６時であり、籾殻炭を使用した測定室４１と、竹炭を使用した測定室４０の温度差は４℃であった。
なお、最後に温度を測定した１８時においては、逆に測定室４１の方が測定室４０より温度が高くなっており、その温度差は２．５℃であった。
このように、籾殻炭を使用した測定室４１は、竹炭を使用した測定室４０よりも温度の変動幅が少なく、断熱性及び保温性に優れていた。
【００５５】
上記調湿性能試験と断熱性能試験から、籾殻炭は竹炭や木炭に比べて調湿性能に優れ、更に籾殻炭は竹炭に比べて断熱性能に優れていることがわかった。
これにより、上記したように、本実施の形態にかかる建材マットＭを住宅の壁面内部、天井裏、床下等に収容または配設して使用したときには、収容または配設される場所で炭粒が収容体内部で全く動かない状況下にあっても、従来のような竹炭や木炭を使用したものと比較して、より優れた調湿性能及び断熱性能を発揮できる。
【００５６】
また、調湿性能に優れている分だけ、比較的少ない量（重量）でも十分な調湿機能を発揮できるので、炭を無駄なく効率的に使用できる。更に、同じ調湿性能及び断熱性能を備えたものでは、建材マットＭをより軽量につくることができるので、施工性や取り扱い性に優れている。
【００５７】
また、建材マットＭの内部に収容されている籾殻の形状を実質的に残した籾殻炭は、木炭や竹炭等を粉砕して粒状としたり粉状とした炭と比較して、同じ重さでは嵩高である。これにより、柔軟性のある収容体に収容した場合でも、比較的少ない量（重量）で建材マットＭにしっかりとした形状を持たせることができるので、この点においても施工性や取り扱い性に優れている。
【００５８】
図１０は本発明にかかるクッションの一実施の形態を示す断面図である。
住環境改善用物品であるクッションＣは、袋状の布カバー５を有している。布カバー５の内部には、二枚の炭収容体６が収容されている。二枚の炭収容体６の間にはウレタンフォーム製のクッション体７が内包されている。
炭収容体６は、柔軟性と通気性を有する不織布でつくられた炭収容袋６０の内部に籾殻炭６１を所要量収容した構造である。なお、炭収容体６同士は周囲が縫着されており、クッション体７の位置がずれにくいようにしている。
【００５９】
クッションＣによれば、籾殻炭６１の粒が比較的揃っていることにより、籾殻炭６１を収容している炭収容袋６０表面が、布カバー５を通して皮膚に触れたときに、表面の凹凸に違和感を感じにくく、使用感に優れている。また、表面側にはクッション体７でなく炭収容体６を収容している構造であるので、皮膚に触れたときにクッション体のようなまとわりつく感触がなく、この点においても使用感に優れている。
【００６０】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【００６１】
【発明の効果】
本発明は上記構成を備え、次の効果を有する。
（ａ）本発明にかかる住環境改善用物品によれば、調湿性能及び断熱性能により優れた籾殻炭を収容体や収容袋に収容して用いることにより、例えば住宅の壁部、天井裏、床下等に収容または配設する建材マット等の建築材料として使用する場合は、収容または配設される場所で炭粒が収容体内部で全く動かない状況下にあっても、上記理由から調湿機能を十分に発揮することができる。また、調湿性能に優れている分だけ、比較的少ない量（重量）でも十分な調湿機能を発揮できるので、炭を無駄なく効率的に使用できる。
更に、籾殻炭が嵩高であることにより、柔軟性のある収容体に収容した場合でも、比較的少ない量（重量）で建材マット等の建築材料にしっかりとした形状を持たせることができる。従って、建材マット等の建築材料の施工性や取り扱い性に優れている。
【００６２】
（ｂ）籾殻炭を収容体や収容袋に収容して用いることにより、就寝用マットレス、座布団、枕、クッション等の日用品等として使用する場合は、籾殻炭の粒が比較的揃っていることにより、籾殻炭を収容している収容体表面が皮膚に触れたときに、表面の凹凸に違和感を感じにくく、使用感に優れている。また、籾殻炭の単位容積あたりの重さは、木炭や竹炭を粉砕した炭と比較して軽いので、籾殻炭の使用量が多い場合でも、取り扱い性に優れている。
【００６３】
（ｃ）籾殻炭は材料の籾殻がもともと粒が揃っており、炭化後も粉砕する必要がないので、粉砕する手間がかからない。なお、従来は、そのほとんどが燃やして処分され、処分に困っていた籾殻を有効に利用でき、結果的に竹炭や木炭をつくる量を減らすことにより環境への影響を低減できる利点もある。
【００６４】
（ｄ）本発明にかかる住環境改善用構造によれば、住環境改善用物品を構成する収容体に収容した籾殻炭が軽量であるため、住環境改善用構造を構成する柱等にステープル等で固定した場合に、不織布等、一般に強度に劣る通気性を有する材料でつくられた収容体の固定部分にかかる炭の重みによる引っ張り力等による負担を軽減できる。従って、収容体が破れて脱落したり、内部の炭が漏れてしまう等の不都合は生じない。
【図面の簡単な説明】
【図１】本発明にかかる建材マットの一実施の形態を示す炭収容袋の一部を切り欠いた斜視図。
【図２】建材マットを住宅の壁内部に施工した状態を示す説明図で、（ａ）は壁板の一部を切り欠いた正面視説明図、（ｂ）は要部断面図。
【図３】建材マットを受託の床下部に施工した状態を示す説明図で、（ａ）は床板の一部を切り欠いた平面視説明図、（ｂ）は要部断面図。
【図４】調湿性能試験装置の概略を示す説明図。
【図５】竹炭の試験データをプロットしたグラフ。
【図６】木炭の試験データをプロットしたグラフ。
【図７】籾殻炭の試験データをプロットしたグラフ。
【図８】断熱性能試験装置の概略を示す説明図。
【図９】竹炭と籾殻炭の試験データをプロットしたグラフ。
【図１０】本発明にかかるクッションの一実施の形態を示す断面図。
【符号の説明】
Ｍ  建材マット
１  炭収容袋
１０  収容空間部
２  籾殻炭
３  調湿性能試験装置
３０  空気供給室
３１  フィルター
３２  通気路
３３  測定室
３４  移動体
ｔ  温度計
ｈ  湿度計
４  断熱性能試験装置
４０、４１  測定室
４２  光源
４３  試験炭層
４４  試験炭層
Ｃ  クッション
５  布カバー
６  炭収容体
６０  炭収容袋
６１  籾殻炭
７  クッション体
８  壁部構造
８０  間柱
８１  外壁板
８２  内壁板
８３、８４  空間部
１００  ステープル
９  床部構造
９０  根太
９１  大引き
９２  床板
９３、９４  空間部
９５  支持部材
【図１】
2004346632.tif 000005
【図２】
2004346632.tif 000006
【図３】
2004346632.tif 000007
【図４】
2004346632.tif 000008
【図５】
2004346632.tif 000009
【図６】
2004346632.tif 000010
【図７】
2004346632.tif 000011
【図８】
2004346632.tif 000012
【図９】
2004346632.tif 000013
【図１０】
2004346632.tif 000014